(57)【要約】      （修正有）【課題】贈り物の手渡し時に、ボックスの開放と共に相手方が開披するメッセージカードによって、贈り主にも不明である様々な行為を相手方と共に双方であるいは一方が行うようにするギフト用メッセージ伝達具を提供する。【解決手段】所定の贈り物を収納し、閉塞するボックス本体１に、贈り主・相手方の双方あるいは一方に特定の行為を要望させる内容を記載したメッセージカード３０を予め収納する開放可能なカード収納部２０を設ける。カード収納部２０は、透明なシート材２１をボックス本体１におけるいずれかの側壁部３，４，５，６の内側面に貼付した透明なシート材２１によって収納空間を形成すると共に、側壁部３，４，５，６にハート形に破断する切抜線２２によって収納空間を開放する開放扉片２３を設ける。メッセージカード３０は、開披可能にしたハート形状の折り畳み状態でカード収納部２０内に収納する。【選択図】図１
0003181062.tif 000002
【実用新案登録請求の範囲】
【請求項１】
所定の贈り物が収納され、閉塞されるボックス本体に、贈り主・相手方の双方あるいは一方に特定の行為を要望させる内容を記載したメッセージカードを予め収納してあって、破断することで開放可能なカード収納部を設けたことを特徴とするギフト用メッセージ伝達具。
【請求項２】
カード収納部は、シート材をボックス本体におけるいずれかの側壁部の内側面にその周縁部分で貼付されるシート材によって収納空間を形成すると共に、このシート材に対応する側壁部の部位自体に所定形状の切抜線によって破断可能な外郭形状とした開放扉片を設けて成る請求項１に記載のギフト用メッセージ伝達具。
【請求項３】
メッセージカードは、開披可能にした折り畳み状態でカード収納部内に収納されている請求項１または２に記載ギフト用メッセージ伝達具。
【請求項４】
カード収納部の開放扉片、折り畳まれたメッセージカードそれぞれはハート形状を呈している請求項１乃至３のいずれかに記載のギフト用メッセージ伝達具。
【請求項５】
所定の贈り物に付着可能で、前後で対峙した前面片、背面片による収納空間を備えている扁平袋状のメッセージ収納具を形成し、この収納空間には、贈り主・相手方の双方あるいは一方に特定の行為を要望させる内容を記載したメッセージカードを予め収納しておいて、あるいはその要望内容を内側面に記載しておいて、所定形状の切抜線によって破断開口された取出口からメッセージカードを取り出し、あるいは記載面を露呈可能にしてあることを特徴とするギフト用メッセージ伝達具。
【請求項６】
切抜線は前面片に形成し、この切抜線を隠蔽して、取出口周辺外側に周縁部が配置される開放扉片を切抜線区域に貼付してある請求項５に記載のギフト用メッセージ伝達具。
【請求項７】
メッセージ収納具の背面片には、剥離紙によって覆われた接着剤層を備えて成る付着部を設けてある請求項５または６に記載のギフト用メッセージ伝達具。
【考案の詳細な説明】
【技術分野】
【０００１】
この考案は、例えば知人、恋人その他の特に親しい人に贈り物をするとき、その贈り物と共に所定内容のメッセージを伝達でき、しかもそのメッセージ内容は贈り主にとっても不明としてあって、例えば贈り物の手渡し時にその贈り物を開くことで初めてその内容が明らかとなるようにして相手方は勿論のこと贈り主も共にサプライズ的にそれを楽しむことができ、メッセージ内容によるサプライズ的行為を行うことで両者間の関係を例えば一層親密な関係とさせ得るようにしたギフト用メッセージ伝達具に関する。
【背景技術】
【０００２】
従来から、知人その他に贈り物をするとき、適当なメッセージを添えて贈ることがあり、そのため例えば特許文献１に示される化粧箱、特許文献２に示されるギフト用品、特許文献３に示される贈呈品収納パッケージ等が提案されている。特許文献１の化粧箱は、化粧箱の箱部または蓋部に、メッセージを表示する裏当て部を露出可能に覆う扉部を設け、この扉部はヒンジ部を介して回転されることで開閉できるようにして成る。特許文献２のギフト用品は、切手貼付枠、郵便番号枠を記載した箱表面に、箱の内部に入れたタオル、ハンカチ等を見ることができる透明シートを貼った窓を設け、箱の表裏の適位置に通信文記載エリアを設けて成る。特許文献３のパッケージは、贈呈品の贈り主が商品群から選択して組合せた商品を梱包材と共に収納できるボックス部を設け、収納済みの商品を覆い隠す中敷紙の上には、収納商品の外観を表したカードを配設して成る。
【先行技術文献】
【特許文献】
【０００３】
【特許文献１】実開平７−２１５２２号公報
【特許文献２】実用新案登録第３０６８７７７号公報
【特許文献３】実用新案登録第３１０８１８１号公報
【考案の概要】
【考案が解決しようとする課題】
【０００４】
このような上述したギフト用の包装形態において、特許文献１の化粧箱では、メッセージを表示する裏当て部は扉部によって覆われていることで被贈呈人がこの扉部を開放しなければメッセージ内容が不明な儘で、被贈呈人本人しか見ることができない利点があるする。また、特許文献２のギフト用品では、例えば郵送されてこれを受け取った受取人が、贈呈人の作成・記載した通信文を見ることで、贈呈者の気持を了解できるとする。特許文献３のパッケージでは、贈呈品の内容がカードに記載されていることで、贈り主からどのようなものが贈られたのかを直ちに知ることができるとする。
【０００５】
しかしながら、このような従来の包装形態によると、例えば贈り主が直接に相手方に手渡し、その場で包装を開いたとき、所定内容のメッセージが記載されているカード等が収納されている場合、贈り主にとってはメッセージ内容そのものを自分で作成しているから、相手方の反応、対応をある程度予想できる。そうであれば、贈呈と共に相手方がそれを開披するときには、贈り主にとってはサプライズ的に楽しむ機会がなく、そのために贈り主、その相手方の両者にとって共に興味を持って開披する楽しみが減殺されている。
【０００６】
そこでこの考案は上述したような従来存した諸事情に鑑み案出されたもので、その目的は、贈り主が用意する所定の贈り物を収納するボックス本体に、贈り主にとっても不明となっているメッセージ内容を記載してあるメッセージカードを予め同封させておき、あるいは同様にメッセージカードが封入されているか、その内容が記載されているかしてある扁平袋状のメッセージ収納具を贈り物に付着させておいて、例えば手渡し時に相手方が開披するメッセージカードの記載内容等によるサプライズ的な所定の行為を双方あるいは一方が行うことで、両者間の親密度を一層深めるのに役立つようにできるギフト用メッセージ伝達具を提供することにある。
【課題を解決するための手段】
【０００７】
上述した課題を解決するため、後述する考案を実施するための形態における使用符号を付記して説明すると、この考案の第１のものは、所定の贈り物Ｇが収納され、閉塞されるボックス本体１に、贈り主・相手方の双方あるいは一方に特定の行為を要望させる内容を記載したメッセージカード３０を予め収納してあって、破断することで開放可能なカード収納部２０を設けたことを特徴とする。
カード収納部２０は、透明なシート材２１をボックス本体１におけるいずれかの側壁部３，４，５，６の内側面にその周縁部分で貼付されるシート材２１によって収納空間を形成すると共に、このシート材２１に対応する側壁部３，４，５，６の部位自体に所定形状の切抜線２２によって破断可能な外郭形状とした開放扉片２３を設けて構成することができる。
メッセージカード３０は、開披可能にした折り畳み状態でカード収納部２０内に収納されることで構成することができる。
カード収納部２０の開放扉片２３、折り畳まれたメッセージカード３０それぞれはハート形状を呈するものとして構成することができる。
また、この考案の第２のものは、所定の贈り物Ｇに付着可能で、前後で対峙した前面片４２、背面片４６による収納空間を備えている扁平袋状のメッセージ収納具４１を形成し、この収納空間には、贈り主・相手方の双方あるいは一方に特定の行為を要望させる内容を記載したメッセージカード３０を予め収納しておいて、あるいはその要望内容を内側面に記載しておいて、所定形状の切抜線４３によって破断開口された取出口からメッセージカード３０を取り出し、あるいは記載面を露呈可能にしてあることを特徴とする。
切抜線４３は前面片４２に形成し、この切抜線４３を隠蔽して、取出口周辺外側に周縁部が配置される開放扉片４４を切抜線４３区域に貼付して構成することができる。
メッセージ収納具４１の背面片４６には、剥離紙によって覆われた接着剤層を備えて成る付着部４７を設けて構成することができる。
【０００８】
以上のように構成されたこの考案に係るギフト用メッセージ伝達具にあって、贈り主、相手方のいずれもメッセージの記載内容が不明であるメッセージカード３０がこの考案伝達具によって所定の贈り物Ｇと共に贈り主から相手方に例えば手渡され、そのときに破断開放されたカード収納部２０あるいはメッセージ収納具４１から取り出され、開披されたメッセージカード３０等の記載内容によるサプライズ的な要望行為が双方あるいは一方が行うことで、両者間の親密度合いを一層深めさせることに役立つ。
ボックス本体１のカード収納部２０は、破断開放する開放扉片２３によって開放されるから、例えば手渡し時まで開放できないことで贈り主にとっても収納してあるメッセージカード３０の記載内容は例えば購入時であっても不明であり、手渡し時での開披によって贈り主、相手方双方がはじめて知ることでその記載内容によるサプライズ的な行為に対する期待感を大きくさせる。
メッセージカード３０を収納したカード収納部２０は、その開放扉片２３の破断開放によるメッセージカード３０の取り出しと共にボックス本体１を開放することで、その贈り物Ｇの内容を理解・確認させる。
また、ハート形状を呈する開放扉片２３、折り畳まれたメッセージカード３０それぞれは、手渡し時の親密な雰囲気を醸成させ、贈り主、相手方双方間における親密性を富ませるのに役立たせる。
扁平袋状のメッセージ収納具４１は、その背面片４６の付着部４７によって様々な形態の贈り物Ｇに付着可能とさせるから汎用的であり、開放扉片４４の摘み上げ等による切抜線４３に沿って破断することにより開口形成した取出口から、メッセージカード３０を取り出させ、また、内側面に記載した所定内容のメッセージ文を露呈させ、それらの記載内容によるサプライズ的な行為を明らかにさせる。
【考案の効果】
【０００９】
この考案は以上説明したように構成されているため、例えば恋人同士、親友同士その他の親しい間柄、またはそれを希望する人が贈り物Ｇを贈るとき、贈り主が用意する所定の贈り物Ｇを収納したボックス本体１あるいは贈り物Ｇに付着したメッセージ収納具４１に、贈り主にとっても不明となっているメッセージ内容を記載してあるメッセージカード３０等が予め同封されており、例えば手渡し時に相手方がそのメッセージカード３０を開披することで、メッセージカード３０の記載内容によるサプライズ的な所定の要望行為等を双方あるいは一方が行うことができるものとなる。そのため、その要望行為を贈り主、相手方の両者間の双方で、あるいは一方が他方に対して行うことで、両者間の親密度を一層深めるのに役立たせることができ、しかもメッセージカード３０は予め収納してあるカード収納部２０あるいはメッセージ収納具４１の前面片４２を破断開放し、取り出して開披するまでは記載内容を知る機会がないから贈り主も相手方と共に楽しむことができ、両者間の親密性を一層深くすることができる。
【００１０】
すなわち、これはこの考案において、所定の贈り物Ｇが収納され、閉塞されるボックス本体１に、贈り主・相手方の双方あるいは一方に特定の行為を要望させる内容を記載したメッセージカード３０を予め収納してあって、破断することで開放可能なカード収納部２０を設けたからであり、また、扁平袋状に形成したメッセージ収納具４１の収納空間にメッセージカード３０を予め収納しておいて、あるいはその要望内容を内側面に記載しておいて、所定形状の切抜線４３によって破断開口された取出口からメッセージカード３０を取り出し、あるいは記載面を露呈可能にしてあるからである。これ等により、メッセージカード３０あるいはメッセージ収納具４１自体の内側面に記載の内容を贈り主、相手方の一方あるいは双方が行うことで互いに楽しむことができ、両者間を一層親密にさせるのである。
【００１１】
また、ボックス本体１において、メッセージカード３０を収納するカード収納部２０は、ボックス本体１のいずれかの側壁部３，４，５，６の内側面に貼付したシート材２１、側壁部３，４，５，６自体に設けた開放扉片２３によって破断することで開放される収納空間が形成されているから、開放扉片２３の破断開放によってメッセージカード３０をはじめて取り出すことができる。またシート材２１を透明部材によって形成することで、このシート材２１を経てボックス本体１内部に収納した贈り物Ｇを視認できるから、贈られる相手方はもとより、贈り主にとっても開放扉片２３の開放によるボックス本体１内部を視認させる楽しみを一層増大できる。
【００１２】
カード収納部２０の開放扉片２３、折り畳まれたメッセージカード３０それぞれはハート形状を呈するものとしてあるから、贈り物として手渡すときの雰囲気を醸成でき、贈り主、相手方の両者それぞれの期待感を大きくもできる。
【００１３】
一方、前後で対峙した前面片４２、背面片４６によって収納空間を形成してあるメッセージ収納具４１は、その収納空間にメッセージカード３０を予め収納してあるか、あるいは所定の要望事項をその内側面に記載してあるかしてあるので、切抜線４３によって破断することで開口形成された取出口からメッセージカード３０を取り出し、あるいは記載内容を見ることで、その記載内容に沿った相手方のあるいは贈り主等の所定のサプライズとなる行為を行わせるのである。
【００１４】
しかも、このメッセージ収納具４１は扁平袋状で、また背面片４６には付着部４７が設けられているから、種々の大小、長短、包装の有無に拘わらず様々な贈り物Ｇに付着でき、その適用範囲を拡げることで一層の汎用性を得ることができる。
【００１５】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１６】
【図１】この考案を実施するための第１の実施の形態における分解斜視図である。
【図２】同じく断面図である。
【図３】同じくボックス本体を閉塞するときの組立手順を示すもので、その（Ａ）は取っ手片のグリップ部相互を合掌させたときの前方から見た要部斜視図、（Ｂ）はグリップ部の挿入固定片を開口覆い片における固定部のスリットに挿入したときの前方から見た要部斜視図、（Ｃ）は挿入固定片を前後方向に折曲し、ハート形状としたときの側方から見た要部斜視図である。
【図４】同じくメッセージカードの一例における一部切欠の展開図である。
【図５】同じくボックス本体のカード収納部からメッセージカードを取り出すときの要部斜視図である。
【図６】この考案を実施するための第２の実施の形態における使用状態の一部切欠斜視図である。
【図７】同じくメッセージ収納具を開封し、取出口からメッセージカードを取り出すときの斜視図である。
【図８】同じく贈り物に取り付けたときの断面図である。
【考案を実施するための形態】
【００１７】
以下、図面を参照してこの考案を実施するための一形態を説明すると、図１乃至図５に示される第１の実施の形態において示される符号１は、贈り主からの任意な選択した贈り物Ｇが収納可能な所定容量を有するほぼ立方体状のボックス本体であり、底壁部２の各辺に連設した前後、左右の側壁部３，４，５，６を備えており、ワンタッチ式にボックス状に組み立てられ、あるいは扁平状に折り畳まれるようになっている。すなわち、図示例のように、底壁部２は例えば対角線方向に沿った外方への拡開による折り畳みによってボックス本体１内方に折り込まれて扁平状になり、あるいは逆の内方への縮小による展開によってボックス本体１外方に倒伏状に噛み合い、自体が平坦になって立体的なボックス形態となるようにしてある。
【００１８】
そして、このボックス本体１の例えば前側壁部３には、ボックス本体１の外側面で破断開放される開口部を備えたカード収納部２０を形成してあり、このカード収納部２０は、前側壁部３自体とこの前側壁部３に重ね合わせられるシート材２１とによって形成される相互間の空隙を収納空間とすると共に、前側壁部３、シート材２１のいずれか一方を他方に対してボックス本体１の外側で収納空間を開放可能にして成る。
【００１９】
図示にあっては、シート材２１の周縁部分を前側壁部３の内側面に貼付することによってシート材２１と前側壁部３との間に収納空間を形成すると共に、このシート材２１に対応する前側壁部３部位自体に例えばハート形のミシン目状の切抜線２２によって破断される外郭形状とした開放扉片２３を設けて成る。また、この開放扉片２３の下部には前記シート材２１を経てボックス本体１の内部が僅かにでも視認できるように下部自体の一部を切除することで摘み部２４を形成し、この摘み部２４によって開放扉片２３を開放あるいは切抜線２２に沿って破断し切除分離することで収納空間を開放できるようにしてある。もとより、前側壁部３の外側面に、切り抜きあるいは開放可能にした開放扉片２３を有するシート材２１を重ね合わせることで同様に構成することもできる。ただ、開放扉片２３が不透明で、これを切除あるいは開放することで、収納空間から後述するメッセージカード３０を取り出すと共に、シート材２１を透明部材とすることによってボックス本体１内がシート材２１を経て視認できることになり、一層の興趣性を富ませるものとできる。
【００２０】
また、収納空間内には、所定内容のメッセージが記載されているメッセージカード３０が収納保持されている。このメッセージカード３０は、例えば図４に示されているように折り畳み状態で例えばハート形を呈すると共に、折り畳み後の外形と例えば同様な外郭形状の摘み片３１を付設して成る。このメッセージカード３０における記載内容は、ボックス本体１内に収納する贈り主からの贈り物Ｇ、それが贈られる相手方両者共に不明なものとなるようにしてあり、例えば贈り主とその相手方との関係に対応して例えばサプライズ的な行為がなされる内容の記載となるように、所定内容が記載されている種々のメッセージカード３０が予め用意されていて、それが収納されることでこの考案伝達具が構成されている。
【００２１】
図示例におけるメッセージカード３０は、例えば縦横方向で折り畳まれたときにハート形となるように展開状態では８弁の花びら状、いわば四つ葉のクローバー形状を呈し、折曲後の表面部分にハート形の摘み片３１を、例えば下部で摘むことができるように、その下部を残して接着してある。こうすることで、ハート形を呈するカード収納部２０内に折曲状態のメッセージカード３０を収納しておくことで、カード収納部２０の覆い部分を持ち上げるように開放したとき、カード収納部２０から臨まれる摘み片３１によってメッセージカード３０自体を引出可能にすることができる（図５参照）。また、このメッセージカード３０は折り畳まれて収納されることで、取り出し時には記載内容が不明であることで、開披する間での期待感を持たせることができ、開披すれば四つ葉のクローバー形状となることで、開披時の良好な雰囲気を一層盛り上げることもできる。もとより、このメッセージカード３０はハート形状に形成されることなく、他の形状としても良く、その形状は任意に選定できるのは勿論である。
【００２２】
メッセージカード３０における記載内容は、例えば片思い・両思いだが交際しておらず、距離を縮めたい人用の「恋する乙女コース」、交際期間が短いカップル、これから更に交際を深め、仲良くなりたいカップル用の「ラブラブカップルコース」等として、それらに対応するサプライズ的な行為が要望されるようなものとしておく。「恋する乙女コース」では例えば「１分間の間で手をつなぐ」、「二人が始めて出会った時の話をしてお互いの第一印象を語り合う」等とし、「ラブラブカップルコース」では例えば「二人で抱き合いながらお互いの好きなところを話す」、「後から抱きしめて耳元で相手の好きなところをささやく」等とする。もとより、贈り主、その相手方との関係によるコース分け内容、メッセージ内容はこれらに限らないのは勿論である。
【００２３】
また、ボックス本体１において、例えば相対向している前後の側壁部３，５の上辺には、上部が互いに合掌される門字形のグリップ部９，１０となっている取っ手片７，８が連設されていて、この取っ手片７，８自体は、グリップ部９，１０相互を合掌させるに足りる長さを有していてグリップ部９，１０を合掌させたときには、取っ手部７，８の下部がボックス本体１の開口部を覆うようにしてある。尚、グリップ部９，１０それぞれは、グリップ部９，１０の基部の両側部に形成した切欠部１２によって、取っ手片７，８の幅員に比しやや小さくした幅員としてあり、また、グリップ部９，１０相互を合掌させたとき、このグリップ部９，１０の基部位置で取っ手片７，８のいずれか一方から他方に架け渡されて取っ手片７，８相互を連結させる連結片１１を設けてある。グリップ部９，１０の端部には、後述する開口覆い片１５，１６の固定部１７，１８に挿入され、折曲展開される挿入固定片１３，１４をフック状にして設けてある。
【００２４】
一方、左右の側壁部４，６の上辺には、相互に連結される取っ手片７，８の下部の左右側方で形成される空隙開口部分を覆うと共に、合掌させたグリップ部９，１０相互の合掌状態を保持固定する固定部１７，１８を上部に有する開口覆い片１５，１６が連設されている。この開口覆い片１５，１６の上縁は、前記取っ手片７，８の側縁部分面が載せられることで、この取っ手片７，８が上方に膨らむ湾曲された状態となるように湾曲形成されている。そして、固定部１７，１８の基部は取っ手片７，８における前記切欠部１２内に嵌め入れられて、取っ手片７，８と開口覆い片１５，１６とはしっくりと嵌め合わされることで組み合わせられるようになっている。
【００２５】
また、固定部１７，１８には、グリップ部９，１０の端部に設けた前記挿入固定片１３，１４が合掌された状態で挿入される縦方向に沿っているスリットが開穿されており、合掌状態で挿入された後の挿入固定片１３，１４は、ボックス本体１における前後方向に沿って折曲展開されることでスリット縁に係止し、展開されたときにはハート形を呈するようになっている（図３参照）。
【００２６】
次にこれの使用の一例を説明すると、底壁部２が折り込まれていることでボックス本体１は扁平状に折り畳まれていると共に、このボックス本体１のカード収納部２０内には、所定内容のメッセージが記載されているメッセージカード３０が予め収納されている。例えば、贈り主とその相手方との親密度合いに応じて、両者間で要望されるサプライズ的な行為等の内容が記載されたメッセージとなっているメッセージカード３０が収納されている各種のボックス本体１を、例えばその親密度合いに応じて選択できるように複数用意しておくのであり、その記載内容は贈り主たる購入者にも不明なものとして販売されるものとしておく。尚、販売に際し、メッセージ内容の記載例が表示されているパンフレット等が予め用意されていても良く、望ましくは購入者においても購入したボックス本体１に収納されているメッセージカード３０の記載内容は不明なものとしておく。
【００２７】
これを購入した贈り主は、別途購入した所定の贈り物Ｇを、立体的に組み立てたボックス本体１内に収納し、相対向する前後の取っ手片７，８のグリップ部９，１０を、左右の開口覆い片１５，１６上縁に載せるようにして合掌させると共に、グリップ部９，１０両端の挿入固定片１３，１４を固定部１７，１８のスリット内に挿入し、挿入後に折曲展開することでスリット縁に係止する。そして、連結片１１によって取っ手片７，８相互をしっかりと固定することで、この考案ギフトボックスを組み立て、相手方に例えば直接に手渡すのである。
【００２８】
手渡し後では、相手方が直接にボックスを開放するのであり、それと共にカード収納部２０を開放してメッセージカード３０を取り出し開披して、それに記載された行為などをお互いにあるいはいずれか一方が他方に対して行うのである。それ等によるメッセージの記載内容の行為などは贈り主、相手方にとっても不明なものであるから、贈り主にとってもサプライズ的であり、両者間で一層の興趣性をもって楽しむことができ、またその親密性を一層深めさせるのに役立つ。
【００２９】
一方、図６乃至図８には第２の実施の形態が示されており、図において示される符号４１はメッセージ収納具であり、このメッセージ収納具４１は、前後で対峙状にして配した前面片４２及び背面片４６をこれらの両側部、底部、上部を閉塞することで内部に形成される収納空間を備えたものとして扁平な袋状に構成されて成る。
【００３０】
メッセージ収納具４１の前面片４２は、前面片４２自体の一部を破断開口するよう所定形状の切抜線４３によって区画されることで形成される取出口を備えていると共に、切抜線４３を隠蔽して、取出口周辺外側に周縁部が配置される開放扉片４４を切抜線４３区域に貼付してある。切抜線４３は、例えば前面片４２の上辺縁部位を末端部とする末広がり状のほぼ逆三角形状を呈するように形成されている。また、取出口の下部は、予め僅かに小さく開口されており、この開口部分の外縁に切抜線４３が連続している。
【００３１】
開放扉片４４は、予め開口形成されている取出口の下部を覆う開放扉片４４の下部の部分が摘み部４５となっており、この摘み部４５にて摘み、開放扉片４４を次第に摘み上げることで切抜線４３が破断され、取出口が前面片４２に開口形成されるようになっている（図７参照）。図示例の開放扉片４４は、切抜線４３の破断形状に対応させて丸みを帯びた逆三角形状としてあるも、切抜線４３の破断形状が例えばハート形状であれば、これに対応したハート形状のものとして形成される。いずれにしても、切抜線４３の破断形状、開放扉片４４の形状等はこれら限らず、適宜に選定され、場合によっては、第１の実施の形態に示される開封構造とすることもある。
【００３２】
このメッセージ収納具４１の背面片４６には、例えば花束その他の贈り物Ｇに付着可能な付着部４７を設けてあり、この付着部４７は、接着剤層の表面に剥離紙を剥離自在に覆って成り、剥離紙の剥離によって露呈した接着剤層によって所定の贈り物Ｇに付着できるようにしている。
【００３３】
尚、メッセージ収納具４１には、第１の実施の形態に示した例えばハート形状のメッセージカード３０が取り出し可能にして封入されている。このメッセージカード３０に記載されるメッセージの内容は、所定の贈り物Ｇに付着させるようメッセージ収納具４１を購入する贈り主である購入者にとっても不明なものとしてあるのは、前記と同様であり、不明なものとして提供されるのは勿論である。
【００３４】
また、図示を省略したが、メッセージの内容は、開放扉片４４によって開封されたときに開口形成される取出口にて露呈される、例えば背面片４６の内側面に、あるいは切り抜き破断される前面片４２の破断部分の内側面等に記載されることで、メッセージカード３０自体を省略することも可能である。
【００３５】
次にこれの使用の一例を説明すると、所定のメッセージ内容が記載されたメッセージカード３０が内部に封入されるか、前面片４２あるいは背面片４６の内側面に所定のメッセージ内容が記載されているかしたメッセージ収納具４１が、購入者には不明な状態で提供される。そして、所要の贈り物Ｇを知人その他の相手方に贈るとき等にこれを購入して、その贈り物Ｇに付着させて贈ることとすれば良い。贈られた相手方において、開放扉片４４にてメッセージ収納具４１を開封し、そのメッセージの内容に応じた行為等を一方または双方で行うものである。これによって、第１の実施の形態におけると同様に贈り主、相手方の両者間で一層の興趣性をもって楽しむことができ、またその親密性を一層深めさせるのに役立つ。
【００３６】
また、この第２の実施の形態におけるメッセージ収納具４１によれば、贈り物Ｇが大小、長短、包装の有無その他の異なる形態となっていてもそれらの形態の相違に拘わらず、いずれの贈り物Ｇにも付着することで使用でき、一層の汎用性が得られる。
【符号の説明】
【００３７】
Ｇ…贈り物
１…ボックス本体                        ２…底壁部２
３，４，４，５，６…側壁部              ７，８…取っ手片
９，１０…グリップ部                    １１…連結片
１２…切欠部                            １３，１４…挿入固定片
１５，１６…開口覆い片                  １７，１８…固定部
２０…カード収納部                      ２１…シート材
２２…切抜線                            ２３…開放扉片
２４…摘み部
３０…メッセージカード                  ３１…摘み片
４１…メッセージ収納具                  ４２…前面片
４３…切抜線                            ４４…開放扉片
４５…摘み部                            ４６…背面片
４７…付着部
【図１】
0003181062.tif 000003
【図２】
0003181062.tif 000004
【図３】
0003181062.tif 000005
【図４】
0003181062.tif 000006
【図５】
0003181062.tif 000007
【図６】
0003181062.tif 000008
【図７】
0003181062.tif 000009
【図８】
0003181062.tif 000010